(57)【要約】【課題】  各種基板に適用され、無機保護膜の前にコーティングされた有機保護膜により、耐腐蝕、抗酸化、抗指紋、硬度増加、静電防止、ろ波、光沢性増加、表面平坦度等の効果と各種色彩を具備する、ナノ保護膜の提供。【解決手段】  基材上にコーティングされＰＵ或いはＵＶ樹脂等の有機樹脂及びナノ或いはミクロ染料を包含してなる染料層である少なくとも一層のナノ或いはミクロ有機膜と、該ナノ或いはミクロ有機膜の表面にコーティングされた、二酸化チタン、二酸化シリコン或いは酸化アルミニウム等を含有するナノ無機薄膜とを包含するか、或いは、更に基材上にコーティングされた少なくとも一層のＰＵ或いはＵＶ樹脂等の有機樹脂と充填材からなる基層を包含するか、或いは、更にナノ或いはミクロ有機膜の表面にコーティングされた透明な光沢層を包含する。【選択図】        図１
0003113532.tif 000002
【実用新案登録請求の範囲】
【請求項１】
素材用ナノ保護膜において、
基材と、
上述の基材上にコーティングされた少なくとも一層のナノ或いはミクロ有機膜である有機膜と、
該有機膜の上にコーティングされるナノ無機膜と、
を包含し、良好な吸着性を具えた緻密な保護薄膜とされ、耐腐蝕、抗酸化、抗指紋、硬度増加、静電防止、ろ波、光沢性増加、表面平坦度増加の機能を具えたことを特徴とする、素材用ナノ保護膜。
【請求項２】
請求項１記載の素材用ナノ保護膜において、基材がプラスチック基材、金属基材或いは合金基材とされたことを特徴とする、素材用ナノ保護膜。
【請求項３】
請求項１記載の素材用ナノ保護膜において、ナノ或いはミクロ有機膜がＰＵ或いはＵＶ樹脂及びナノ或いはミクロ染料を包含してなる染料層とされたことを特徴とする、素材用ナノ保護膜。
【請求項４】
請求項１記載の素材用ナノ保護膜において、ナノ或いはミクロ有機膜と基材の間に少なくとも一層の、ＰＵ或いはＵＶ樹脂と充填材からなる基層がコーティングされたことを特徴とする、素材用ナノ保護膜。
【請求項５】
請求項１記載の素材用ナノ保護膜において、有機膜の表面に少なくとも一層の透明光沢層がコーティングされたことを特徴とする、素材用ナノ保護膜。
【請求項６】
請求項４記載の素材用ナノ保護膜において、有機膜の表面に少なくとも一層の透明光沢層がコーティングされたことを特徴とする、素材用ナノ保護膜。
【請求項７】
請求項１記載の素材用ナノ保護膜において、ナノ無機膜が二酸化チタン、二酸化シリコン或いは酸化アルミニウムの薄膜とされたことを特徴とする、素材用ナノ保護膜。
【考案の詳細な説明】
【技術分野】
【０００１】
本考案は一種の素材用ナノ保護膜に係り、基材上にコーティングされＰＵ或いはＵＶ樹脂等の有機樹脂及びナノ或いはミクロ染料を包含してなる染料層である少なくとも一層のナノ或いはミクロ有機膜と、該ナノ或いはミクロ有機膜の表面にコーティングされた、二酸化チタン、二酸化シリコン或いは酸化アルミニウム等を含有するナノ無機薄膜を包含するか、或いは、基材上にコーティングされた少なくとも一層のＰＵ或いはＵＶ樹脂等の有機樹脂と充填材を包含してなる基層を更に包含するか、或いは、ナノ或いはミクロ有機膜の表面にコーティングされた透明な光沢層を包含する。無機保護膜の前にコーティングされた有機保護膜により、耐腐蝕、抗酸化、抗指紋、硬度増加、静電防止、ろ波、光沢性増加、表面平坦度等の効果を有する保護膜を形成し、また保護膜に各種色を具備させてその使用性を増す。金属、合金、或いはプラスチック等非金属の基材に広く適用され、並びに紅顔を具えた保護膜に関する。
【背景技術】
【０００２】
周知の素材用保護膜には無機保護膜構造と有機保護膜構造があり、有機保護膜構造、例えば塗料で形成された保護膜は、紫外線照射により変色、亀裂を形成し、また毛細孔を有するためその防水性及び耐候性は低く、且つ静電気を発生して危険をもたらすことがある。チタン、ジルコニウム、亜鉛、けい素、バナジウム、アルミニウム等の金属の化合物を樹脂中に加え、更に金属表面にコーティングして抗腐蝕薄膜を形成することもできるが、無機保護膜が形成される基材は金属材料に限られ、且つ製造コストが高くまた金属の有している光沢に影響を与えるのが残念なところである。また、化学気相堆積（ＣＶＤ）及び物理気相堆積（ＰＶＤ）等の真空蒸着技術で基材に形成される一層の保護膜は、その生産設備及び製造コストが高くつき、多くは高い導電性と高い電磁シールド効率の場所に応用され、且つ色の多くは金属色或いは無機材料の原色とされ、色に変化性がなく、応用が制限されるという欠点がある。
【０００３】
以上から周知の物品は多くの欠点があり、完全な設計とは言えず、ゆえに改良が求められている。
【考案の開示】
【考案が解決しようとする課題】
【０００４】
本考案の主要な目的は、一種の素材用ナノ保護膜を提供することにあり、それは、基材上にナノ或いはミクロ有機膜をコーティングし、更にナノ或いはミクロ有機膜の表面にナノ無機膜をコーティングしてなり、該ナノ或いはミクロ有機膜は染料を含有し、ナノ無機膜は無色の薄膜とされるため、本考案の素材用ナノ保護膜は、耐腐蝕、抗酸化、抗指紋、硬度増加、静電防止、ろ波、光沢性増加、表面平坦度等の効果を有するのみならず、ナノ或いはミクロ有機膜の含有する染料によりその使用性が増されたものとする。且つ本考案は金属、合金、或いはプラスチック等非金属の基材に広く適用されるものとする。
【０００５】
本考案の次の目的は、一種の素材用ナノ保護膜を提供することにあり、それは、ナノ或いはミクロ有機膜の表面に光沢層がコーティングされ、これにより保護膜表面の光沢を増し、その使用性が増されたものとする。
【０００６】
本考案の次の目的は、一種の素材用ナノ保護膜を提供することにあり、それは、ナノ或いはミクロ有機膜と基材の間にさらに充填層がコーティングされ、これにより平滑な表面が形成され、保護膜の表面の光沢を容易に増すことができ、生産効率を高め並びに生産コストを下げられるものとする。
【課題を解決するための手段】
【０００７】
請求項１の考案は、素材用ナノ保護膜において、
基材と、
上述の基材上にコーティングされた少なくとも一層のナノ或いはミクロ有機膜である有機膜と、
該有機膜の上にコーティングされるナノ無機膜と、
を包含し、良好な吸着性を具えた緻密な保護薄膜とされ、耐腐蝕、抗酸化、抗指紋、硬度増加、静電防止、ろ波、光沢性増加、表面平坦度増加の機能を具えたことを特徴とする、素材用ナノ保護膜としている。
請求項２の考案は、請求項１記載の素材用ナノ保護膜において、基材がプラスチック基材、金属基材或いは合金基材とされたことを特徴とする、素材用ナノ保護膜としている。
請求項３の考案は、請求項１記載の素材用ナノ保護膜において、ナノ或いはミクロ有機膜がＰＵ或いはＵＶ樹脂及びナノ或いはミクロ染料を包含してなる染料層とされたことを特徴とする、素材用ナノ保護膜としている。
請求項４の考案は、請求項１記載の素材用ナノ保護膜において、ナノ或いはミクロ有機膜と基材の間に少なくとも一層の、ＰＵ或いはＵＶ樹脂と充填材からなる基層がコーティングされたことを特徴とする、素材用ナノ保護膜としている。
請求項５の考案は、請求項１記載の素材用ナノ保護膜において、有機膜の表面に少なくとも一層の透明光沢層がコーティングされたことを特徴とする、素材用ナノ保護膜としている。
請求項６の考案は、請求項４記載の素材用ナノ保護膜において、有機膜の表面に少なくとも一層の透明光沢層がコーティングされたことを特徴とする、素材用ナノ保護膜としている。
請求項７の考案は、請求項１記載の素材用ナノ保護膜において、ナノ無機膜が二酸化チタン、二酸化シリコン或いは酸化アルミニウムの薄膜とされたことを特徴とする、素材用ナノ保護膜としている。
【考案の効果】
【０００８】
本考案は上述の周知の素材用ナノ保護膜の各種の欠点を鑑み、それを改善した一種の素材用ナノ保護膜を提供するものである。本考案は基材上に少なくとも一層のナノ或いはミクロ有機膜をコーティングし、更に該ナノ或いはミクロ有機膜の表面にナノ無機膜をコーティングし、無色のナノ無機膜の前に染料を含有するナノ或いはミクロ有機膜をコーティングすることにより、耐腐蝕、抗酸化、抗指紋、硬度増加、静電防止、ろ波、光沢性増加、表面平坦度等の効果を有する保護膜が形成されると共に、保護膜が各種色を具備するものとされ、その使用性が増す。本考案は、金属、合金、或いはプラスチック等非金属の基材に広く適用され、並びに高い光沢を具えた保護膜を提供する。
【考案を実施するための最良の形態】
【０００９】
図１、２に示されるのは本考案の好ましい実施例の素材用ナノ保護膜の構造である。この素材用ナノ保護膜は、
基材１であって、プラスチック、金属或いは合金材料で形成された上記基材１と、
有機膜２であって、上述の基材１にコーティングされた少なくとも一層の、ナノ或いはミクロ有機膜であり、ＰＵ或いはＵＶ樹脂等の有機樹脂及びナノ或いはミクロ染料を含有し、基材１の表面の平滑度が不足する時は、基材１と該有機膜２の間に少なくとも一層のＰＵ或いはＵＶ樹脂等の有機樹脂及びナノ或いはミクロ染料を包含してなる基層４がコーティングされ（図２）、該充填材はタルクパウダー、炭酸カルシウム粉末染料等とされる、上記有機膜２と、
ナノ無機膜３であって、前述のナノ或いはミクロ有機膜２表面にコーティングされ、二酸化チタン、二酸化シリコン、或いは酸化アルミニム等の無機成分を含有する薄膜である、上記ナノ無機膜３と、
を包含する。
【００１０】
上述の構成の本考案のナノ保護膜は、耐腐蝕、抗酸化、抗指紋、硬度増加、静電防止、ろ波、光沢性増加、表面平坦度等の効果を有する保護膜が形成されると共に、保護膜が各種色を具備するものとされ、その使用性が増されている。
【００１１】
次に、図３、４は本考案の別の実施例を示す。この実施例によると、ナノ保護膜は、
基材１と、
有機膜２であって、上述の基材１にコーティングされ、該有機膜２は、ＰＵ或いはＵＶ樹脂等の有機樹脂及びナノ或いはミクロ染料を含有してなり、基材１の表面の平滑度が不足する時は、基材１と該有機膜２の間に少なくとも一層のＰＵ或いはＵＶ樹脂等の有機樹脂及びナノ或いはミクロ染料を包含してなる基層４がコーティングされる（図４）、上記有機膜２と、
光沢層５であって、透明でナノ或いはミクロ有機膜２の表面にコーティングされる、上記光沢層５と、
ナノ無機膜３であって、前述の光沢層５の表面にコーティングされ、二酸化チタン、二酸化シリコン、或いは酸化アルミニム等の無機成分を含有する薄膜である、上記ナノ無機膜３と、
を包含する。
【００１２】
上述の構成のナノ保護膜は、耐腐蝕、抗酸化、抗指紋、硬度増加、静電防止、ろ波、光沢性増加、表面平坦度等の効果を有する保護膜が形成されると共に、保護膜が各種色を具備するものとされ、ナノ無機膜の前にコーティングされる有機膜により、金属材質に運用可能であるほか、合金或いはプラスチック材質の基板にも運用可能で、広く各種の基材に適用される。
【００１３】
以上の実施例は本考案の実施範囲を限定するものではなく、以上の実施例及び図面の記載に基づきなしうる細部の修飾或いは改変は、いずれも本考案の請求範囲に属するものとする。
【図面の簡単な説明】
【００１４】
【図１】本考案の素材用ナノ保護膜の構造表示図である。
【図２】本考案の基層を包含する素材用ナノ保護膜の構造表示図である。
【図３】本考案の光沢層を包含する素材用ナノ保護膜の構造表示図である。
【図４】本考案の光沢層と基層を包含する素材用ナノ保護膜の構造表示図である。
【符号の説明】
【００１５】
１  基材
２  有機膜
３  ナノ無機膜
４  基層
５  光沢層
【図１】
0003113532.tif 000003
【図２】
0003113532.tif 000004
【図３】
0003113532.tif 000005
【図４】
0003113532.tif 000006